(57)【要約】【課題】常夜灯のように使用した場合に消灯忘れを防止することができる照明装置を提供すること。【解決手段】光源としてのＬＥＤ５と、このＬＥＤ５の出力を調節して点灯させる制御回路７と、点灯開始から１０時間経過後に前記ＬＥＤ５を消灯させるオフタイマー１１とを有する照明装置１であって、前記制御回路７が、前記ＬＥＤ５を定格出力よりも低い所定の出力で点灯させた「常夜灯モード」時にのみ、前記オフタイマー１１を自動的に作動させて、このオフタイマー１１によって前記ＬＥＤ５を自動消灯させるので、前記ＬＥＤ５の消灯忘れを防止することができる。【選択図】図４
2015035327.tif 000002
【特許請求の範囲】
【請求項１】
光源と、この光源の出力を調節して点灯させる制御回路と、所定時間経過後に前記光源を消灯させるオフタイマーとを有する照明装置において、
前記制御回路が、前記光源を定格出力よりも低い所定の出力で点灯させた場合に、前記オフタイマーを自動的に作動させることを特徴とする照明装置。
【請求項２】
前記制御回路が、前記光源を最小出力で点灯させた場合に前記オフタイマーを自動的に作動させることを特徴とする請求項１記載の照明装置。
【発明の詳細な説明】
【技術分野】
【０００１】
本発明は、光源の出力を調節可能な照明装置に関するものである。
【背景技術】
【０００２】
従来、この種の照明装置としては、調光制御回路によって、照明灯の点灯制御を行う照明装置が知られている（例えば、特許文献１参照。）。
【先行技術文献】
【特許文献】
【０００３】
【特許文献１】特許第４７７６０５７号公報
【発明の概要】
【発明が解決しようとする課題】
【０００４】
近年では、光源として発光ダイオード（以下、ＬＥＤと略す）を用いた照明装置も一般的になっている。そして、このようなＬＥＤを用いた照明装置は、消費電力を小さくすることができるので、小出力に調光して常夜灯のように使用することが可能となる。しかしながら、このような照明装置を常夜灯のように使用した場合、朝になって周囲が明るくなると、点灯しているのかしていないのかが分からなくなり、点灯させたまま次の夜になってしまう虞があった。
【０００５】
本発明は以上の問題点を解決し、常夜灯のように使用した場合に消灯忘れを防止することができる照明装置を提供することを目的とする。
【課題を解決するための手段】
【０００６】
本発明の請求項１に記載の照明装置は、光源と、この光源の出力を調節して点灯させる制御回路と、所定時間経過後に前記光源を消灯させるオフタイマーとを有する照明装置において、前記制御回路が、前記光源を定格出力よりも低い所定の出力で点灯させた場合に、前記オフタイマーを自動的に作動させるものである。
【０００７】
また、本発明の請求項２に記載の照明装置は、請求項１において、前記制御回路が、前記光源を最小出力で点灯させた場合に前記オフタイマーを自動的に作動させるものである。
【発明の効果】
【０００８】
本発明の請求項１に記載の照明装置は、以上のように構成することにより、光源を定格出力よりも低い所定の出力で点灯させた場合に、自動的にオフタイマーが作動するので、消灯忘れを防止することができる。
【０００９】
なお、前記制御回路が、前記光源を最小出力で点灯させた場合に前記オフタイマーを自動的に作動させることで、周囲が明るくなって光源が点灯しているかどうかが分からない状況になったとしても、確実に消灯忘れを防止することができる。
【図面の簡単な説明】
【００１０】
【図１】本発明の一実施例を示す照明装置の外観図である。
【図２】同、回路のブロック図である。
【図３】同、ＬＥＤ出力の説明図である。
【図４】同、動作のフローチャートである。
【発明を実施するための形態】
【００１１】
以下、本発明の実施形態について、図１乃至図４に基づいて説明する。１は本発明の照明装置である。この照明装置１は、いわゆる電気スタンドであり、基部２と、腕部３と、灯具４とを有して構成される。
【００１２】
前記灯具４には、光源としてのＬＥＤ５及び回路基板６が収容される。なお、この回路基板６は、前記灯具４以外の部分、例えば前記基部２に収容してもよい。前記回路基板６には、制御回路７、主スイッチ８、調光スイッチ９、及びＬＥＤ駆動回路１０が実装される。また、前記制御回路７は、オフタイマー１１を有する。なお、１２は交流／直流変換器であり、商用交流電源を直流に変換するものである。この交流／直流変換器１２は、前記照明装置１に内蔵してもよく、また、ＡＣアダプタのように、前記照明装置１の外部に設けてもよい。
【００１３】
次に、本実施形態の作用について説明する。まず、前記交流／直流変換器１２が交流電源に接続された状態で、前記主スイッチ８を操作する。これによって、前記ＬＥＤ５が点灯する。なお、前記ＬＥＤ５は、前記調光スイッチ９を操作することで、前記ＬＥＤ駆動回路１０からＬＥＤ５への出力を調節することができる。前記ＬＥＤ駆動回路１０からＬＥＤ５への出力調節は、電流制御によって行われる。そして、本実施形態の場合、定格出力の３％が最小出力となる。この３％出力のモードを「常夜灯モード」とする。また、前記ＬＥＤ５の出力が１００％、６５％、４０％の場合、「通常点灯モード」となる。なお、「通常点灯モード」における前記ＬＥＤ５の出力は、この三段階でなくてもよく、所定の出力範囲内で連続的に調光できるようにしてもよい。また、「常夜灯モード」の選択のために、前記調光スイッチ９とは別の専用スイッチを設けてもよい。
【００１４】
前記ＬＥＤ５を「常夜灯モード」で点灯させる場合、使用者は、前記調光スイッチ９を操作して、前記ＬＥＤ駆動回路１０からＬＥＤ５への出力を最小の３％とする。なお、ここで言う３％とは、図３に示すように、前記ＬＥＤ駆動回路１０が、前記ＬＥＤ５に、電圧一定のままで、電流値を定格の３％で出力するという意味である。この３％出力では、前記ＬＥＤ５は仄かに発光する程度であり、その灯りによって読書等をすることは困難であるが、常夜灯としては十分である。そして、前記ＬＥＤ５を「常夜灯モード」で点灯させると、同時に前記オフタイマー１１が作動する。本実施形態の場合、前記オフタイマー１１は、点灯開始から１０時間後に前記ＬＥＤ５を消灯させるように作動する。
【００１５】
前記照明装置１を常夜灯として使用する状況は、使用者が睡眠する場合である。そして、前述した通り、「常夜灯モード」では、前記ＬＥＤ５は仄かに発光する程度なので、その灯りによって睡眠が妨げられる虞は殆どない。そして、使用者が夜中に起きてトイレ等に行く場合も、前記ＬＥＤ５が仄かに発光していることで、使用者が眩しさを感じる虞も殆どない。その一方で、仄かな灯りであっても、前記照明装置１が周囲を弱く照らしているので、使用者は、前記照明装置１の周囲の状況を知ることができる。
【００１６】
そして、朝、使用者が起床した後、前記主スイッチ８を操作して前記ＬＥＤ５を消灯する。しかしながら、「常夜灯モード」で前記ＬＥＤ５を点灯させたまま朝になると、前記ＬＥＤ５の仄かな灯りよりも、周囲の明るさの方が明るくなってしまう。この状態では、前記ＬＥＤ５が点灯しているのかしていないのか、使用者は判別できない。もし、前記オフタイマー１１が作動していなければ、前記ＬＥＤ５が点灯していることに使用者が気付かず、前記ＬＥＤ５を消灯し忘れたまま次の夜になってしまう虞がある。そして、前記ＬＥＤ５が点灯したままでは、最小電力であるとは言え、不要な電力を消費することになる。しかしながら、前述した通り、「常夜灯モード」では、自動的に前記オフタイマー１１が作動するので、使用者が前記ＬＥＤ５を消灯し忘れても、自動的に点灯開始から１０時間後に消灯する。
【００１７】
一方、前記照明装置１を「通常点灯モード」で使用する場合、使用者は、前記調光スイッチ９を操作して、前記ＬＥＤ５の出力を１００％、６５％、４０％の何れかから選択する。これらの出力では、前記ＬＥＤ５は十分明るく発光するので、その灯りによって読書等をすることが十分可能である。そして、前記ＬＥＤ５を「通常点灯モード」で点灯させても、前記オフタイマー１１は作動しない。従って、前記ＬＥＤ５を消灯させる場合、使用者が前記主スイッチ８を操作することになる。
【００１８】
以上のように、本発明は、光源としてのＬＥＤ５と、このＬＥＤ５の出力を調節して点灯させる制御回路７と、点灯開始から１０時間経過後に前記ＬＥＤ５を消灯させるオフタイマー１１とを有する照明装置１であって、前記制御回路７が、前記ＬＥＤ５を定格出力よりも低い３％出力で点灯させた場合にのみ、前記オフタイマー１１を自動的に作動させて、このオフタイマー１１によって前記ＬＥＤ５を自動消灯させるので、前記ＬＥＤ５の消灯忘れを防止することができるものである。
【００１９】
また、本発明は、前記制御回路７が、前記ＬＥＤ５を最小出力である３％出力で点灯させた場合に前記オフタイマー１１を自動的に作動させることで、周囲が明るくなって前記ＬＥＤ５が点灯しているかどうかが分からない状況になったとしても、確実に前記ＬＥＤ５の消灯忘れを防止することができる。
【００２０】
なお、本発明は以上の実施形態に限定されるものではなく、発明の要旨の範囲内で種々の変形実施が可能である。例えば、上記実施形態では、３％出力時に「常夜灯モード」となるようにしたが、この出力値は任意であり、要は、その出力で点灯させた場合に、使用者が夜間に眩しさを感じず、且つ周囲の状況を視認できる程度の出力であればよい。従って、ＬＥＤの定格出力にもよるが、「常夜灯モード」となるＬＥＤの出力値を３％よりも高くしても低くしてもよい。また、上記実施形態では、「常夜灯モード」となるＬＥＤの出力値を３％としたが、「常夜灯モード」となるＬＥＤの出力値を複数（例えば３％と６％等）設定してもよい。また、上記実施形態では、オフタイマーの設定時間を１０時間としたが、これ以外の時間（例えば８時間）としてもよく、また、使用者が任意に作動時間を設定できるようにしてもよい。また、上記実施形態では、電流制御によって前記ＬＥＤ駆動回路からＬＥＤへの出力を制御したが、ＰＷＭによって出力を制御してもよい。また、複数のＬＥＤのうちの一部を点灯させることで、「常夜灯モード」としてもよい。この場合、全ＬＥＤの出力の合計を定格値とし、一部ＬＥＤの出力（の合計）を定格出力よりも低い所定の出力と見なす。なお、電流制御、ＰＷＭによる通電比の調節、ＬＥＤの点灯個数の調節を組み合わせて、ＬＥＤへの出力制御を行ってもよいことは明白である。更に、上記実施形態では、電気スタンドに適用したが、天井灯や携帯型照明装置に適用してもよい。
【符号の説明】
【００２１】
１  照明装置
５  ＬＥＤ（光源）
７  制御回路
１１  オフタイマー
【図１】
2015035327.tif 000003
【図２】
2015035327.tif 000004
【図３】
2015035327.tif 000005
【図４】
2015035327.tif 000006